(57)【要約】【課題】トラック荷台に取付部材を取り付け、この取付部材の引掛部に農作業機を係脱することができ、トラック荷台に対して農作業機を出し入れする必要が無くなり、農作業機を容易に運搬して容易に使用することができ、それだけ農作業の作業性を向上することができ、かつ、取付部材は少なくとも左右一対の縦杆部並びに少なくとも上下一対の横杆部からなるので、取付部材を容易に製作することができる。【解決手段】トラック荷台１の煽り２の外側に農作業機Ｗを係脱可能な取付部材３を設けてなり、取付部材はトラック荷台の煽りに着脱可能な引掛部４及び少なくとも左右一対の縦杆部５並びに上下一対の横杆部６からなり、左右一対の縦杆部に農作業機を掛架可能な少なくとも左右一対の掛杆部７を設けてなる。【選択図】図１
2005335653.tif 000002
【特許請求の範囲】
【請求項１】
トラック荷台の煽りの外側に農作業機を係脱可能な取付部材を設けてなり、上記取付部材は上記トラック荷台の煽りに着脱可能な引掛部及び少なくとも左右一対の縦杆部並びに上下一対の横杆部からなり、該左右一対の縦杆部に上記農作業機を掛架可能な少なくとも左右一対の掛杆部を設けて構成したことを特徴とするトラック煽り用農作業機運搬具。
【請求項２】
上記各掛杆部を上記縦杆部に上下調節機構により上下調節自在に設けてなることを特徴とする請求項１記載のトラック煽り用農作業機運搬具。
【請求項３】
上記上下一対の横杆部を伸縮調節機構により伸縮調節自在に設けてなることを特徴とする請求項１又は２記載のトラック煽り用農作業機運搬具。
【請求項４】
上記引掛部は略Ｌ状に形成されていることを特徴とする請求項１〜３のいずれか１項に記載のトラック煽り用農作業機運搬具。
【請求項５】
上記上下の横杆部間に上記農作業機を保持可能な保持バンドを掛架してなることを特徴とする請求項１〜４のいずれか１項に記載のトラック煽り用農作業機運搬具。
【請求項６】
上記左右一対の縦杆部並びに上下一対の横杆部は取付ボルトの頭部及び軸部が遊挿可能な摺動溝をもつレール状長尺材からなることを特徴とする請求項１〜５のいずれか１項に記載のトラック煽り用農作業機運搬具。
【発明の詳細な説明】
【技術分野】
【０００１】
本発明は例えば水田用溝切機、手持草刈り機等の比較的軽量な各種農作業機を運搬する際に用いられるトラック煽り用農作業機運搬具に関するものである。
【背景技術】
【０００２】
従来、この種の農作業においては、トラック荷台に各種の農作業機を積み込み、例えば、作業すべき水田に到着したら、トラック荷台から農作業機を下ろし、農作業機を用いて農作業を行い、作業完了後、農作業機を再びトラック荷台に積み込み、隣の水田まで運び、到着後、トラック荷台から農作業機を下ろし、その水田で農作業機を用いて農作業を行い、これを繰り返す農作業がある。
【０００３】
このトラック荷台に対する農作業機の出し入れのため、トラック荷台に階段機構を配備する構造も知られている。
【特許文献１】特開平１０−２９９３６９号公報
【発明の開示】
【発明が解決しようとする課題】
【０００４】
しかしながら、農作業機の運搬及びトラック荷台に対するその都度の農作業機の出し入れにより農作業の作業性が低下することがあるとうい不都合を有している。
【課題を解決するための手段】
【０００５】
本発明はこれらの不都合を解決することを目的とするもので、本発明のうちで、請求項１記載の発明は、トラック荷台の煽りの外側に農作業機を係脱可能な取付部材を設けてなり、上記取付部材は上記トラック荷台の煽りに着脱可能な引掛部及び少なくとも左右一対の縦杆部並びに上下一対の横杆部からなり、該左右一対の縦杆部に上記農作業機を掛架可能な少なくとも左右一対の掛杆部を設けて構成したことを特徴とするトラック煽り用農作業機運搬具にある。
【０００６】
又、請求項２記載の発明にあっては、上記各掛杆部を上記縦杆部に上下調節機構により上下調節自在に設けてなることを特徴とするものであり、又、請求項３記載の発明は、上記上下一対の横杆部を伸縮調節機構により伸縮調節自在に設けてなることを特徴とするものである。
【０００７】
又、請求項４記載の発明は、上記引掛部は略Ｌ状に形成されていることを特徴とするものであり、又、請求項５記載の発明は、上記上下の横杆部間に上記農作業機を保持可能な保持バンドを掛架してなることを特徴とするものであり、又、請求項６記載の発明は、上記左右一対の縦杆部並びに上下一対の横杆部は取付ボルトの頭部及び軸部が遊挿可能な摺動溝をもつレール状長尺材からなることを特徴とするものである。
【発明の効果】
【０００８】
本発明は上述の如く、請求項１記載の発明にあっては、農作業機の近隣への運搬に際しては、トラック荷台に取付部材を取り付け、この取付部材の引掛部に農作業機を係脱することができ、トラック荷台に対して農作業機を出し入れする必要が無くなり、農作業機を容易に運搬して容易に使用することができ、それだけ農作業の作業性を向上することができ、かつ、取付部材は少なくとも左右一対の縦杆部並びに少なくとも上下一対の横杆部からなるので、取付部材を容易に製作することができる。
【０００９】
又、請求項２記載の発明にあっては、上記各掛杆部を上記縦杆部に上下調節機構により上下調節自在に設けてなるから、農作業機の形態や引掛位置、トラック荷台の大きさ等に対する融通性を高めることができ、又、請求項３記載の発明にあっては、上記上下一対の横杆部を伸縮調節機構により伸縮調節自在に設けてなるから、左右一対の縦杆部の対向間隔を調節することができ、これによっても、農作業機の形態や引掛位置、トラック荷台の大きさ等に対する融通性を高めることができ、使用の利便性を高めることができる。
【００１０】
又、請求項４記載の発明にあっては、上記引掛部は略Ｌ状に形成されているから、トラック荷台の煽りに対する係脱を容易に行うことができ、又、請求項５記載の発明にあっては、上記上下の横杆部間に上記農作業機を保持可能な保持バンドを掛架してなるから、保持バンドを農作業機に渡して横杆部に引掛けることにより、農作業機を取付部材に確実に保持することができ、又、請求項６記載の発明にあっては、上記左右一対の縦杆部並びに上下一対の横杆部は取付ボルトの頭部及び軸部が遊挿可能な摺動溝をもつレール状長尺材からなるので、上下調節機構及び伸縮調節機構を簡易な構造にすることができ、容易に製作することができる。
【発明を実施するための最良の形態】
【００１１】
図１乃至図８は本発明の実施の形態例を示し、１はトラック荷台であって、トラック荷台１の煽り２、この場合、後部煽りの外側に農作業機Ｗを係脱可能な取付部材３を設け構成している。
【００１２】
この場合、上記取付部材３は上記トラック荷台１の煽りに着脱可能な引掛部４及び左右一対の縦杆部５・５並びに上下一対の横杆部６・６からなり、左右一対の縦杆部５・５に上記農作業機Ｗを掛架可能な左右一対の掛杆部７・７を設けている。
【００１３】
又、この場合、上記各掛杆部７・７は上記縦杆部５・５に上下調節機構８により上下調節自在に設けられ、又、上記上下一対の横杆部６・６は伸縮調節機構９により伸縮調節自在に設けられ、又、上記引掛部４は略Ｌ状に形成され、又、上下の横杆部６・６間に上記農作業機Ｗを保持可能なゴム製の保持バンド１０が掛架され、この場合、保持バンド１０の一方端部を上方の横杆部６に縛着し、保持バンド１０の他方端部に下方の横杆部６に引掛可能な引掛片１０ａを取り付けてなり、又、上記左右一対の縦杆部５・５並びに上下一対の横杆部６・６は取付ボルト１１の頭部１１ａ及び軸部１１ｂが遊挿可能な略Ｔ状の摺動溝Ｍ1をもつレール状長尺材Ｍにより形成されている。
【００１４】
即ち、上記を縦杆部５・５上記レール状長尺材Ｍにより形成し、この縦杆部５・５の上部に略Ｌ状の引掛部４を溶接固定し、上下一対の横杆部６・６として、上記レール状長尺材Ｍからなる水平突杆６ａ・６ａを各縦杆部５・５の上下の内面に突設し、この水平突杆６ａ・６ａ間に凹状の橋絡杆６ｂ・６ｂを摺動自在に嵌着し、レール状長尺材Ｍの摺動溝Ｍ1に取付ボルト１１の頭部１１ａ及び軸部１１ｂを摺動自在に嵌合し、取付ボルト１１の軸部１１ｂを橋絡杆６ｂ・６ｂに挿通し、軸部１１ｂに締付ナットＫを螺着し、これにより上下一対の横杆部６・６を伸縮調節自在に設け、この伸縮調節により縦杆部５・５間の間隔を調節自在に設け、又、この場合、上記掛杆部７・７として、掛け杆７ａ・７ａの基部に凹状の支持杆７ｂ・７ｂを固定し、レール状長尺材Ｍからなる縦杆部５・５に凹状の支持杆７ｂ・７ｂを摺動自在に嵌着し、レール状長尺材Ｍの摺動溝Ｍ1に取付ボルト１１の頭部１１ａ及び軸部１１ｂを摺動自在に嵌合し、取付ボルト１１の軸部１１ｂを支持杆７ｂ・７ｂに挿通し、軸部１１ｂに締付ナットＫを螺着し、これにより上記各掛杆部７・７を上記縦杆部５・５に対して上下調節自在に設けて構成している。
【００１５】
この実施の形態例は上記構成であるから、図５、図６の如く、トラック荷台１の後部の煽り２に引掛部３・３により取付部材２を掛着し、この取付部材２の左右一対の掛杆部７・７の掛け杆７ａ・７ａに農作業機Ｗの適所を吊下状態に掛架することより農作業機Ｗを運搬することができ、作業場に着いたら、農作業機Ｗを持ち上げて掛杆部７・７の掛け杆７ａ・７ａから外し、作業を行うことになり、順次、取付部材１に対して農作業機Ｗの係脱を繰り返しながら農作業を継続することになり、各所における農作業が完了したら、取付部材２を上方に持ち上げ、トラック荷台１の煽り２から外し、取付部材２をトラック荷台１に搭載することになる。
【００１６】
従って、農作業機の近隣への運搬に際しては、トラック荷台１に取付部材２を取り付け、この取付部材２の引掛部４・４に農作業機Ｗを係脱することができ、トラック荷台１に対して農作業機Ｗを出し入れする必要が無くなり、農作業機Ｗを容易に運搬して容易に使用することができ、それだけ農作業の作業性を向上することができ、かつ、取付部材２は左右一対の縦杆部５・５並びに上下一対の横杆部７・７からなるので、取付部材２を容易に製作することができる。
【００１７】
この場合、上記各掛杆部７・７を上記縦杆部５・５に上下調節機構８により上下調節自在に設けてなるから、農作業機Ｗの形態や引掛位置、トラック荷台１の大きさ等に対する融通性を高めることができ、又、この場合、上記上下一対の横杆部６・６を伸縮調節機構９により伸縮調節自在に設けてなるから、左右一対の縦杆部５・５の対向間隔を調節することができ、これによっても、農作業機Ｗの形態や引掛位置、トラック荷台１の大きさ等に対する融通性を高めることができ、使用の利便性を高めることができる。
【００１８】
又、この場合、上記引掛部４・４は略Ｌ状に形成されているから、トラック荷台１の煽り２に対する係脱を容易に行うことができ、又、この場合、上記上下の横杆部６・６間に上記農作業機Ｗを保持可能な保持バンド１０を掛架してなるから、保持バンド１０を農作業機Ｗに渡して横杆部６に引掛けることにより、農作業機Ｗを取付部材２に確実に保持することができ、又、この場合、上記左右一対の縦杆部５・５並びに上下一対の横杆部６・６は取付ボルト１１の頭部１１ａ及び軸部１１ｂが遊挿可能な摺動溝Ｍ1をもつレール状長尺材Ｍからなるので、上下調節機構８及び伸縮調節機構９を簡易な構造にすることができ、容易に製作することができる。
【００１９】
尚、本発明は上記実施の形態例に限られるものではなく、例えば、取付部材２の形状、引掛部４、縦杆部５、横杆部６、引掛部７の数や形態、上下調節機構８及び伸縮調節機構９の構造等は適宜変更して設計される。
【００２０】
以上、所期の目的を充分達成することができる。
【図面の簡単な説明】
【００２１】
【図１】本発明の実施の形態例の全体斜視図である。
【図２】本発明の実施の形態例の分解斜視図である。
【図３】本発明の実施の形態例の後面図である。
【図４】本発明の実施の形態例の平断面図である。
【図５】本発明の実施の形態例の使用状態の後面図である。
【図６】本発明の実施の形態例の使用状態の側面図である。
【符号の説明】
【００２２】
Ｗ    農作業機
Ｍ    レール状長尺材
Ｍ1    摺動溝
１    トラック荷台
２    煽り
３    取付部材
４    引掛部
５    縦杆部
６    横杆部
７    掛杆部
９    伸縮調節機構
１０    保持バンド
１１    取付ボルト
１１ａ    頭部
１１ｂ    軸部
【図１】
2005335653.tif 000003
【図２】
2005335653.tif 000004
【図３】
2005335653.tif 000005
【図４】
2005335653.tif 000006
【図５】
2005335653.tif 000007
【図６】
2005335653.tif 000008